(57)【要約】【課題】伝送されて来たデジタルカラー等の撮影画像のプリント紙を見て、撮影者、撮影時刻等を知り得る。【解決手段】カラー画像データを受信し（ＳＴ１）、その画像がｓＹＣＣ−ＪＰＥＧ画像データであるか否か判定し（ＳＴ２）、ｓＹＣＣ−ＪＰＥＧ画像データでない場合は、通常のファックスプリントを行い（ＳＴ１０）、ｓＹＣＣ−ＪＰＥＧ画像データの場合は、ｓＹＣＣ−ＪＰＥＧファイル中に撮影時刻情報が有るか否か判定し（ＳＴ４）、あれば撮影時刻フラグにファイル中の撮影時刻情報を代入し（ＳＴ５）、同じくｓＹＣＣ−ＪＰＥＧファイル中にユーザ情報有りか否か判定し（ＳＴ７）、有ればユーザ情報フラグにファイル中の情報を代入し（ＳＴ８）、画像データに撮影情報フラグ、ユーザ情報フラグの内容を合体させて印刷する（ＳＴ９）。【選択図】　　　図２
2004135144.tif 000002
【特許請求の範囲】
【請求項１】
受信したｓＹＣＣ−ＪＰＥＧ画像データを記憶し、この記憶したｓＹＣＣ−ＪＰＥＧ画像データをプリントするｓＹＣＣ−ＪＰＥＧ対応可能なカラー画像通信装置であって、前記ｓＹＣＣ−ＪＰＥＧ画像データに関連する画像付加情報を保存しておき、前記ｓＹＣＣ−ＪＰＥＧ画像データのプリント時に前記画像付加情報を合成プリントするようにしたことを特徴とするカラー画像通信装置。
【請求項２】
前記画像付加情報は、ユーザ情報であることを特徴とする請求項１記載のカラー画像通信装置。
【請求項３】
前記画像付加情報は、撮影時間を含むものであることを特徴とする請求項２記載のカラー画像通信装置。
【発明の詳細な説明】
【０００１】
【発明の属する技術分野】
この発明は、ｓ（スタンダード）ＹＣＣ−ＪＰＥＧ対応可能なファクシミリ装置、複合機等のカラー画像通信装置に関する。
【０００２】
【従来の技術】
近年、カラー読み取り装置を備え、読み取ったカラー画像も電話回線を介して伝送するカラーファクシミリ装置が開発されている。この種のカラーファクシミリ装置の画像伝送は、ＩＴＵ勧告Ｔ．８１にしたがって行われるものであり、所定のサイズの原稿しか伝送できない。そのため、デジタルカメラによって撮影した画像データは、ファックス伝送ができない。そこで、デジタルカメラ等の画像データをファックス伝送できるように、デジタルカメラの記憶メディアのスロットを、ファクシミリ装置に装備し、デジタルカメラ等で撮影し得たＹＣｂ　Ｃｒ　−ＪＰＥＧ画像データを、記録メディアから一旦メモリに読み出し、これをファクシミリ装置のメモリにＲＧＢ画像データとして展開した後、画像データの横幅が所定画素数になるように白画素を付加してから、再度Ｌａｂ−ＪＰＥＧ画像データに圧縮し、順次Ｔ．８１にしたがって送信する技術が提案されている（例えば、特許文献１参照）。
【０００３】
【特許文献１】
特開２００１−２８５６４７号公報
【０００４】
【発明が解決しようとする課題】
上記した特許文献１に記載の技術や、更にｓＹＣＣ−ＪＰＥＧ画像データに対応可能なファクシミリ装置の出現で、デジタルカメラ等の画像データを容易に伝送可能となっているが、ファックス伝送されて来た画像データをプリントする際に、単に撮像画像のみをプリントするのみでは、出力プリント紙を見ても、誰が、いつ撮影したものかわからない。ユーザがプリント紙に、いちいちメモするのも面倒である。
【０００５】
この発明は上記問題点に着目してなされたものであって、伝送されて来た撮影画像データのプリント紙を見て、誰が、いつ撮影したものであるかを知り得るプリントが可能なカラー画像通信装置を提供することを目的としている。
【０００６】
【課題を解決するための手段】
この発明のカラー画像通信装置は、受信したｓＹＣＣ−ＪＰＥＧ画像データを記憶し、この記憶したｓＹＣＣ−ＪＰＥＧ画像データをプリントするｓＹＣＣ−ＪＰＥＧ対応可能なカラー画像通信装置であって、前記ｓＹＣＣ−ＪＰＥＧ画像データに関連する画像付加情報を保存しておき、前記ｓＹＣＣ−ＪＰＥＧ画像データのプリント時に前記画像付加情報を合成プリントするようにしている。
【０００７】
前記画像付加情報は、撮影者と、撮影時間、送信元等のユーザ情報である。
【０００８】
このカラー画像通信装置では、送信されて来たｓＹＣＣ−ＪＰＥＧ画像データをプリントする際に、画像の他に、撮影者、撮影時間等の付加情報もプリントされるので、どこから送られて来たものが直ちにわかる。
【０００９】
【発明の実施の形態】
以下、実施の形態により、この発明を更に詳細に説明する。図１に、この発明の実施形態カラー画像通信装置全体の概略構成を示すブロック図を示す。
【００１０】
この実施形態通信装置は、ファクシミリ機能とコピー機能とを備えたいわゆるカラー複合機として構成したもので、主制御部１と、ＮＣＵ（網制御回路：Ｎｅｔｗｏｒｋ　Ｃｏｎｔｒｏｌ　Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ　ａｎｄ　Ｄｅｃｏｄｅｒ　）１１と、ＬＡＮＩ／Ｆ１２と、バス１３とを備える。
【００１１】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１２】
ＲＯＭ４は、この装置を制御するためのプログラムを記憶する。ＲＡＭ５は、データ等を一時的に記憶する。このＲＡＭ５には、ｓＹＣＣ−ＪＰＥＧファイル記憶用に割り当てられる記憶部５ａを備えている。
【００１３】
画像メモリ６は、受信画像データや画像読取部９で読み取った画像データを一時的に記憶する。表示部（ＬＣＤ）７は、印アイコン、キーボタンの表示や、データの送受信に必要なメッセージ内容等を表示する。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからＪＰＥＧファイル等のデータ転送の要求を受けると、記憶部５ａのＪＰＥＧ画像データをＬＡＮＩ／Ｆ１２、ＬＡＮ１５を介して、外部ＰＣに転送する。
【００１４】
次に、図２に示すフロー図を参照して、この実施形態装置カラー複合機の受信処理動作を説明する。先ず、ステップＳＴ１において、電話回線１４を介して送信されて来るカラー画像データを受信する。次に、ステップＳＴ２へ移行する。ステップＳＴ２においては、受信した画像データがｓＹＣＣ−ＪＰＥＧ（図２のフロー図では、便宜上ＪＰＥＧと略記している）画像データであるか否か判定する。ｓＹＣＣ−ＪＰＥＧ画像データである場合は、ステップＳＴ３へ移行する。一方、ｓＹＣＣ−ＪＰＥＧ画像データでない場合、ステップＳＴ１０へ移行する。ステップＳＴ１０においては、通常プリント処理へ移行する。
【００１５】
ステップＳＴ３においては、撮影時刻フラグに現在時刻をセットする。この処理は、後にｓＹＣＣ−ＪＰＥＧファイルＦＪの中に、撮影時刻がない場合に、現在の受信時刻を撮影時刻として使用するためである。ここでいう現在時刻は、実施形態カラー複合機が持つ時計の現在時刻である。次に、ステップＳＴ４へ移行する。ステップＳＴ４においては、ｓＹＣＣ−ＪＰＥＧファイルＦＪの中に、撮影時刻が有りか否か判定する。ｓＹＣＣ−ＪＰＥＧファイルＦＪは、図３に示すように、デジタルカメラで撮影された撮影画像ＦＪ１と、撮影画像のサムネイルＦＪ２と、付加情報ＦＪ３とからなり、これらを含めてｓＹＣＣ−ＪＰＥＧファイルとしている。付加情報ＦＪ３としては、撮影者と撮影者に関連する情報、撮影時刻、撮影機の関連データ、ファックスの送信元の情報が格納されて、送信されて来る。ｓＹＣＣ−ＪＰＥＧファイルＦＪは、ＲＡＭ５に記憶エリア５ａが割り当てられ格納されている。ｓＹＣＣ−ＪＰＥＧファイルＦＪ中に、撮影時刻情報があれば、ステップＳＴ５へ移行する。一方、撮影時刻情報がなければ、ステップＳＴ５をスキップして、ステップＳＴ６へ移行する。
【００１６】
ステップＳＴ５においては、撮影時刻フラグに、ｓＹＣＣ−ＪＰＥＧファイルＦＪ中の実際の撮影時刻を代入する。続いて、ステップＳＴ６へ移行する。ステップＳＴ６においては、ユーザ情報フラグにｓＹＣＣ−ＪＰＥＧファイルＦＪ中にある機器（デジタルカメラ）所有者情報をセットする。次に、ステップＳＴ７へ移行する。ステップＳＴ７においては、ｓＹＣＣ−ＪＰＥＧファイルＦＪ中にユーザ情報が有りか否か判定する。ｓＹＣＣ−ＪＰＥＧファイルＦＪ中にユーザ情報が存在する場合は、ステップＳＴ８へ移行する。一方、ユーザ情報が存在しない場合は、ステップＳＴ８へスキップして、ステップＳＴ９へ移行する。ステップＳＴ９においては、画像記録部１０で印刷を実行する。ｓＹＣＣ−ＪＰＥＧ画像データ、つまり撮像画像と、そのサムネイルに加えて、撮影時刻フラグ中の撮影時刻、ユーザ情報フラグ中のユーザ情報を知ることができる。
【００１７】
【発明の効果】
この発明によれば、受信したｓＹＣＣ−ＪＰＥＧ画像データを記憶し、この記憶したｓＹＣＣ−ＪＰＥＧ画像データをプリントするｓＹＣＣ−ＪＰＥＧ対応可能なカラー画像通信装置であって、前記ｓＹＣＣ−ＪＰＥＧ画像データに関連する画像付加情報を保存しておき、前記ｓＹＣＣ−ＪＰＥＧ画像データのプリント時に前記画像付加情報を合成プリントするようにしているので、伝送されて来たデジタルカメラ等の撮影画像をプリント出力すると、撮影画像のみならず、画像付加情報も併せてプリントされるので、撮影者、撮影時刻、その他のユーザ情報も併せて知ることが可能となる。
【図面の簡単な説明】
【図１】この発明の一実施形態であるカラー複合機の構成を示すブロック図である。
【図２】同実施形態複合機の画像受信時の処理動作を説明するためのフロー図である。
【図３】同実施形態複合機におけるｓＹＣＣ−ＪＰＥＧファイルの概略構成を示す図である。
【符号の説明】
１　　　　主制御部（ＣＰＵ）
２　　　　ＮＣＵ
３　　　　ＭＯＤＥＭ
４　　　　ＲＯＭ
５　　　　ＲＡＭ
５ａ　　　ｓＹＣＣ−ＪＰＥＧファイル記憶部
６　　　　画像メモリ
７　　　　表示部
８　　　　操作部
９　　　　画像読取部
１０　　　画像記録部
１１　　　ＣＯＤＥＣ
１２　　　ＬＡＮＩ／Ｆ
１３　　　バス
１４　　　電話回線
１５　　　ＬＡＮ
【図１】
2004135144.tif 000003
【図２】
2004135144.tif 000004
【図３】
2004135144.tif 000005